(57)【要約】【課題】下枠の浴室開口部の排水溝に浴室から流れ込んだ湯水が、その下枠に残水しないようにした浴室引戸とする。【解決手段】浴室引戸の戸枠１の下枠３を、下枠本体３０と浴室開口部のレール部材４０と戸袋部のレール部材５０で構成し、その下枠本体３０の排水溝３１の浴室開口部の排水溝に浴室開口部のレール部材４０を取付けて前記浴室開口部の排水溝に浴室から流れ込んだ湯水を浴室側に排水できるようにし、前記下枠本体３０の排水溝３１の戸袋部の排水溝の底面３１ｂにスペーサ部材７０の下面７０ａを接して取付け、このスペーサ部材７０の上面に前記戸袋部のレール部材５０を取付けて下枠３とした浴室引戸で、前記浴室開口部の排水溝に浴室から流れ込んだ湯水が下枠本体３０の排水溝３１の戸袋部の排水溝の底面３１ｂと前記戸袋部のレール部材５０との間に流れることをスペーサ部材７０で防止するので、その湯水が浴室側に全量を排水され、下枠３に残水しない。【選択図】図５
2008127747.tif 000002
【特許請求の範囲】
【請求項１】
浴室と脱衣室との間に設けられ、障子走行用のレール部材が下枠本体の排水溝上に設置される浴室引戸であって、
前記レール部材は、少なくとも浴室開口部のレール部材と戸袋部のレール部材とから構成されると共に、
前記戸袋部の排水溝には湯水浸入防止用のスペーサ部材が取付けられ、かつ前記スペーサ部材上に前記戸袋部のレール部材が設置され、
前記浴室開口部の排水溝には前記浴室開口部のレール部材が載置されて、前記浴室からの湯水を排水する機能が担保されていることを特徴とする浴室引戸。
【請求項２】
戸袋部の排水溝の底面と戸袋部のレール部材との間をスペーサ部材で閉塞した請求項１記載の浴室引戸。
【請求項３】
スペーサ部材の上面に幅広い凹部を長手方向に形成し、
戸袋部のレール部材の下向片を前記凹部の底面に接して戸袋部のレール部材がスペーサ部材に取付けられる請求項１記載の浴室引戸。
【請求項４】
スペーサ部材の凹部の底面に引水用の溝を長手方向に連続して形成した請求項３記載の浴室引戸。
【請求項５】
浴室と脱衣室との間に設けられ、障子走行用のレール部材が下枠本体の排水溝上に設置される浴室引戸であって、
前記レール部材は、少なくとも浴室開口部のレール部材と戸袋部のレール部材とから構成されると共に、
前記戸袋部のレール部材は、戸袋部の排水溝を閉塞する形状で、
前記浴室開口部の排水溝には前記浴室開口部のレール部材が載置されて、前記浴室からの湯水を排水する機能が担保されていることを特徴とする浴室引戸。
【請求項６】
浴室開口部のレール部材を取り外し自在に取付けると共に、この浴室開口部のレール部材の長さを、開き位置の障子よりも開き側に位置する長さとした請求項１〜５いずれか１項に記載の浴室引戸。
【発明の詳細な説明】
【技術分野】
【０００１】
本発明は、浴室の出入口部分に用いられ、その出入口を開閉する浴室引戸に関する。
【背景技術】
【０００２】
浴室引戸は、戸枠に障子を、開き位置と閉じ位置とに亘って直線状に移動自在に建て込んだもので、浴室の出入口部分に用いて、その障子を開き位置とすることで浴室の出入口を開放し、閉じ位置とすることで出入口を閉じる。
このような浴室引戸においては、浴室使用時等に浴室内の湯水が障子や下枠にかかり、下枠の上面に流れ、その下枠の上面から脱衣室に流れる恐れがあるので、下枠の上面に流れた湯水を浴室側に排水できるようにした浴室引戸が提案されている。
例えば、特許文献１に開示したように、戸枠の下枠を、下枠本体とレール部材との間に排水用空間部を有する形状とし、そのレール部材の上面に形成した排水用の孔から湯水が排水用空間部に流れ込み、下枠本体の水抜き孔から浴室側に排水するようにした浴室引戸が提案されている。
【０００３】
【特許文献１】特開２０００−９６９２８号公報
【発明の開示】
【発明が解決しようとする課題】
【０００４】
浴室引戸としては、戸枠の障子移動方向の長さ（つまり、見付け寸法）が浴室の開口幅（つまり、見付け幅）よりも大きく、戸枠が浴室の出入口と対向した出入用開口と格納用開口を有し、障子が開き位置の時に障子を格納用開口に格納されるようにした片引きタイプの浴室引戸が知られている。
この片引きタイプの浴室引戸であると、その戸枠の下枠が、戸枠の出入用開口を形成する長手方向一側の浴室開口部と格納用開口を形成する長手方向他側の戸袋部を有し、浴室の出入口の開口幅よりも長尺である。
そして、前述の片引きタイプの浴室引戸の下枠を、前述した従来の下枠本体とレール部材との間に排水用空間部を有する下枠とすれば、浴室から下枠上面に流れた湯水を浴室側に排水することができるが、その排水用空間部に流れ込んだ湯水の一部は格納用開口を形成する長手方向他側の戸袋部まで流れる。
【０００５】
前記下枠の長手方向他側の戸袋部は浴室内とは離れるから、そのの戸袋部に浴室側に連通した水抜き孔を形成できないので、その排水用空間部に流入した湯水を浴室側に排水できずに、残水してしまう。特に、施工条件等で下枠の戸袋部が下がっている場合に残水する。
このために、下枠の長手方向他側の戸袋部が残水した湯水によって汚れたり、匂いが発生したりすることがある。
【０００６】
本発明の目的は、下枠に浴室から流れ込んだ湯水が残水することがないようにした浴室引戸を提供することである。
【課題を解決するための手段】
【０００７】
本発明の浴室引戸は、浴室と脱衣室との間に設けられ、障子走行用のレール部材が下枠本体の排水溝上に設置される浴室引戸であって、
前記レール部材は、少なくとも浴室開口部のレール部材と戸袋部のレール部材とから構成されると共に、
前記戸袋部の排水溝には湯水浸入防止用のスペーサ部材が取付けられ、かつ前記スペーサ部材上に前記戸袋部のレール部材が設置され、
前記浴室開口部の排水溝には前記浴室開口部のレール部材が載置されて、前記浴室からの湯水を排水する機能が担保されていることを特徴とする浴室引戸である。
【０００８】
この浴室引戸においては、戸袋部の排水溝の底面と戸袋部のレール部材との間をスペーサ部材で閉塞することができる。
このようにすれば、戸袋部の排水溝の底面と戸袋部のレール部材との間がスペーサ部材で完全に閉塞されるので、浴室開口部の排水溝に浴室から流れ込んだ湯水が戸袋部の排水溝に流れ込むことがなく、下枠に前述の湯水が残水することがない。
【０００９】
この浴室引戸においては、スペーサ部材の上面に幅広い凹部を長手方向に形成し、
戸袋部のレール部材の下向片を前記凹部の底面に接して戸袋部のレール部材がスペーサ部材に取付けられることができる。
このようにすれば、浴室開口部の排水溝に流れ込んだ湯水が戸袋部の排水溝の底面に流れることがない。
また、スペーサ部材から戸袋部のレール部材を簡単に取り外しできる。
また、凹部の底面に湯水が流れ込むことがあるが、その底面は戸袋部の排水溝の底面よりも高いので、浴室開口部の排水溝に流れ、その凹部の底面に溜まることがない。
【００１０】
前述の浴室引戸においては、スペーサ部材の凹部の底面に引水用の溝を長手方向に連続して形成することができる。
このようにすれば、スペーサ部材の凹部の底面に流れ込んだ湯水が、引水用の溝によって浴室開口部の排水溝に流れ易い。
【００１１】
本発明の浴室引戸は、浴室と脱衣室との間に設けられ、障子走行用のレール部材が下枠本体の排水溝上に設置される浴室引戸であって、
前記レール部材は、少なくとも浴室開口部のレール部材と戸袋部のレール部材とから構成されると共に、
前記戸袋部のレール部材は、戸袋部の排水溝を閉塞する形状で、
前記浴室開口部の排水溝には前記浴室開口部のレール部材が載置されて、前記浴室からの湯水を排水する機能が担保されていることを特徴とする浴室引戸であっても良い。
【００１２】
前述した浴室引戸においては、浴室開口部のレール部材を取り外し自在に取付けると共に、この浴室開口部のレール部材の長さを、開き位置の障子よりも開き側に位置する長さとすることができる。
このようにすれば、障子を開き位置とすることで、浴室開口部のレール部材を取り外すことができる。
したがって、障子を戸枠から外すことなしに浴室開口部のレール部材を取り外して下枠本体の排水溝を形成する部分を清掃することができる。
【発明の効果】
【００１３】
本発明の浴室引戸によれば、浴室開口部の排水溝に浴室から流れ込んだ湯水が、戸袋部の排水溝に流れることがないので、浴室から流れ込んだ湯水は全て浴室側に排水され、その湯水が下枠に残水することがない。
【発明を実施するための最良の形態】
【００１４】
図１に示すように、戸枠１は上枠２と下枠３と戸先側縦枠４と戸尻側縦枠５で方形状で、その戸枠１は縦骨６で人が出入りする出入用開口１ａと、この出入用開口１ａと連続し障子を格納する格納用開口１ｂに区画されている。
前記戸枠１内には障子１０が、上枠２、下枠３の長手方向に沿って閉じ位置と開き位置とに亘って直線上を移動自在に建て込んである。
前記障子１０は上框１１と下框１２と戸先側縦框１３と戸尻側縦框１４を方形状に連結し、内部にガラスなどのパネル１５が装着してある。
そして、障子１０が閉じ位置の時には戸枠１の出入用開口１ａを閉塞し、開き位置の時には戸枠１の格納用開口１ｂに格納されて出入用開口１ａを開放する。
これによって、片引きタイプの浴室引戸としてある。
【００１５】
前記浴室引戸は図２に示すように、浴室２０の出入口２１部分に用いられて浴室２０と脱衣室２２を仕切ると共に、その戸枠１の出入用開口１ａが浴室２０の出入口２１と相対向し、障子１０を閉じ位置とすると出入口２１を閉塞し、開き位置とすることで出入口２１を開放する。つまり、浴室引戸は浴室２０と脱衣室２２との間に設けてある。
前記戸枠１の格納用開口１ｂは浴室２０の壁２３と相対向している。
この格納用開口１ｂは上枠２、下枠３、戸尻側縦枠５、縦骨６で囲まれ、その囲まれた部分にプレート７を取付けて前記壁２３が見えないようにしてある。このプレート７はなくても良い。つまり、格納用開口１ｂは戸袋を構成する。
【００１６】
次に、下枠３の形状について説明する。
前記下枠３は図２に示すように、浴室２０の出入口２１と相対向し、戸枠１の出入用開口１ａを形成する長手方向一側方の浴室開口部３ａと、戸枠１の格納用開口１ｂを形成する長手方向他側方の戸袋部３ｂを有している。
前記下枠３は、図２、図３に示すように下枠本体３０と、この下枠本体３０の排水溝３１上に設置される障子走行用のレール部材を備えている。このレール部材は前記下枠３の浴室開口部３ａに設けられている浴室開口部のレール部材４０（以下一側レール部材４０という）と下枠３の戸袋部３ｂに設けられている戸袋部のレール部材５０（以下他側レール部材５０という）を備えている。
この下枠本体３０は図２に示すように、戸枠１の戸先側縦枠４と戸尻側縦枠５との間の間隔（つまり、戸枠１の面内方向の寸法）と同一長さで、この下枠本体３０の長手方向一端部が戸先側縦枠４に連結され、その長手方向他端部が戸尻側縦枠５に連結される。
つまり、下枠本体３０は下枠３の浴室開口部３ａと戸袋部３ｂとに亘って連続している。
【００１７】
前記下枠本体３０の排水溝３１は、上面に開口し、かつ長手方向に連続している。
要するに、前記排水溝３１は、前記下枠３の浴室開口部３ａにある浴室開口部の排水溝と下枠３の戸袋部３ｂにある戸袋部の排水溝を有している。
前記一側レール部材４０は、下枠本体３０における戸枠１の出入用開口１ａを形成する長手方向一側部に取付けてある。好ましくは着脱自在に取付けてある。この一側レール部材４０の長手方向一端面４０ａと下枠本体３０の長手方向一端面３０ａは同一位置である。
図４に示すように、前記一側レール部材４０と下枠本体３０の排水溝３１の長手方向一側部、つまり浴室開口部の排水溝で排水用空間部６０を形成している。この排水用空間部６０の底部は下枠本体３０の排水溝３１の長手方向一側部の底面３１ａである。
前記排水用空間部６０には一側レール部材４０の上面４０ｂに浴室から流れた湯水が流れ込み、その湯水を浴室開口部の排水溝から浴室側に排水できるようにしてある。
要するに、前記一側レール部材４０（浴室開口部のレール部材４０）は浴室開口部の排水溝に載置されて浴室からの湯水を浴室側に排水する機能を担保している。
【００１８】
前記他側レール部材５０は、図３と図５に示すように下枠本体３０における戸枠１の格納用開口１ｂを形成する長手方向他側部の戸袋部の排水溝に湯水浸入防止用のスペーサ部材７０を介して取付けてある。この他側レール部材５０の長手方向一端面５０ａは一側レール部材４０の長手方向他端面４０ｃと接し、長手方向他端面５０ｂは下枠本体３０の長手方向他端面３０ｂと同一位置である。
このスペーサ部材７０の下面７０ａが、図５に示すように、下枠本体３０の排水溝３１の長手方向他側部（戸袋部の排水溝）の底面３１ｂに接し、そのスペーサ部材７０の上面７０ｂに他側レール部材５０が取付けてある。前記浴室開口部の排水溝、戸袋部の排水部の底面３１ａ，３１ｂは同一高さで長手方向に連続する。
【００１９】
これによって、下枠本体３０の排水溝３１の長手方向他側部（戸袋部の排水溝）の底面３１ｂと他側レール部材５０（戸袋部のレール部材）との間がスペーサ部材７０で閉塞されるので、前記排水用空間部６０（浴室開口部の排水溝）に浴室から流れ込んだ湯水が、下枠本体３０の排水溝３１の長手方向他側部（戸袋部の排水溝）の底面３１ｂと他側レール部材５０との間に流れることなく、その湯水は全量が排水用空間部６０（浴室開口部の排水溝）から浴室側に排水される。
したがって、浴室から排水用空間部６０（浴室開口部の排水溝）に流れ込んだ湯水が下枠３内に残水することがない。
【００２０】
次に、各部材の具体形状を説明する。
下枠本体３０は図４、図５に示すように、横板３２と浴室側の一側立上り板３３と脱衣室側の他側立上り板３４で前述の排水溝３１を長手方向に連続して有している。
前記一側立上り板３３の内面上部には脱衣室側に向かう突部３５が形成してあり、この突部３５の下面によって一側支持部としてある。
前記突部３５には水密材３６が装着してある。この水密材３６は障子１０に接する。
前記他側立上り板３４の上部には取付片３７と支持片３８が設けられ、その取付片３７が脱衣室側に突出し、支持片３８は浴室側に突出した鉤形状で、他側支持部としてある。
【００２１】
前記一側レール部材４０は図４に示すように、横板４１の上面にレール４２を有すると共に、その横板４１の下面に脚片４３を複数備えている。
そして、一側レール部材４０は脚片４３を下枠本体３０の排水溝３１の長手方向一側部（浴室開口部の排水溝）の底面３１ａに接すると共に、その横板４１の一端部（浴室側端部）を突部３５の下面（一側支持部）で支持してある。
前記横板４１の他端部（脱衣室側端部）が前記下枠本体３０の支持片３８（下向部３８ａ）に接するようにしてある。
これによって、一側レール部材４０は強固に取付けられ、人が踏んだりしても変形しない。また下枠本体３０の横板３２と一側レール部材４０の横板４１との間に前述した排水用空間部６０を形成する。
前記横板４１に排水用孔４４を形成すると共に、前記下枠本体３０の一側立上り板３３、一側レール部材４０の脚片４３に水抜き孔４５をそれぞれ形成することで、一側レール部材４０の上面４０ｂに流れ込んだ湯水を排水用孔４４、排水用空間部６０（浴室開口部の排水溝）、水抜き孔４５を通して浴室側に排水できるようにしてある。
また、前記下枠本体３０の支持片３８（凹陥部３１の脱衣室側部分）は一側レール部材４０の上面４０ｂよりも上方に突出している。これによって、一側レール部材４０の上面４０ｂに流れ込んだ湯水が脱衣室側に流れないようにしてある。
【００２２】
前記他側レール部材５０は図５に示すように、横板５１の上面にレール５２を有すると共に、その横板５１の下面に複数の下向片５３を有し、この下向片５３は前記一側レール部材４０の脚片４３よりも短く、一側レール部材４０のレール４２と他側レール部材５０のレール５２を同一高さとした時に、その下向片５３は下枠本体３０の排水溝３１の底面３１ａ，３１ｂと離れる。
前記スペーサ部材７０は、その下面７０ａが下枠本体３０の排水溝３１の長手方向他側部（戸袋部の排水溝）の底面３１ｂに接すると共に、その上面７０ｂには複数の凹部７１が長手方向に連続して形成してあり、この各凹部７１に他側レール部材５０の各下向片５３を嵌込むことで取付けられる。
これによって、一側レール部材４０のレール４２と他側レール部材５０のレール５２とが同一高さで長手方向に連続する。また、上面４０ｂ，５０ｃも同一高さで連続する。
【００２３】
前記スペーサ部材７０の凹部７１は長手方向両端面に開口しているので、前述の排水用空間部６０に流入した湯水が凹部７１に流れ込むことがあるが、この凹部７１の底面はスペーサ部材７０の下面７０ａよりも高いので、その凹部７１に沿って前記排水用空間部６０に向けて流れる。
【００２４】
前記他側レール部材５０とスペーサ部材７０は下枠本体３０に、浴室、脱衣室方向（長手方向と直角方向）に動かないように取付けてある。
例えば、前述のように他側レール部材５０の下向片５３とスペーサ部材７０の凹部７１を嵌め合うことで、他側レール部材５０とスペーサ部材７０が長手方向と直角方向に動かないように連結する。
また、前記スペーサ部材７０の浴室側面７０ｃを図５に示すように下枠本体３０の浴室側の一側立上り板３３に当接してスペーサ部材７０が浴室側に動かないようにする。
また、他側レール部材５０の脱衣室側部、例えば立上り片５４を下枠本体３０の支持片３８（下向部３８ａ）に接して他側レール部材５０が脱衣室側に動かないようにする。
【００２５】
この実施の形態では、下枠本体３０の排水溝３１の底面３１ａ，３１ｂに長手方向に連続した小さい溝３９が長手方向と直角方向に間隔を置いて複数形成してある。この小さな溝３９とは幅が狭く深さが浅い溝である。
また、下枠本体３０の長手方向一側部には、その一側立上り板３３の浴室側面に下部横向部６２と上部突片６３が浴室側に向けて一体的に設けてあると共に、その下部横向部６２と上部突片６３に亘って踏み板６４が取付けてある。
前記上部突片６３は図３、図５に示すように下枠本体３０の長手方向他側部まで連続しているが、下部横向部６２は長手方向他側部においては切断して除去してある。
【００２６】
前述の一側レール部材４０を下枠本体３０から取り外しすれば、下枠本体３０の排水溝３１の長手方向一側部、つまり排水用空間部６０を形成する浴室開口部の排水溝を清掃することができる。
このように、一側レール部材４０を障子１０を外すことなしに取り外しできるようにするには、その一側レール部材４０の長さを、その長手方向他端部４０ｃが図３に仮想線で示すように障子１０を開き位置とした時の障子１０の戸先側縦框１３よりも開き側寄り位置となる長さとすれば良い。つまり、開口幅よりも一側レール部材４０を短くすれば良い。
【００２７】
また、他側レール部材５０を障子１０を外すことなしに取り外しできるようにするには、図２に仮想線で示すように他側レール部材５０の長手方向一端部５０ａを障子１０の戸尻側縦框１４よりも戸袋部寄りに位置させれば良い。
【００２８】
なお、一側・他側レール部材４０，５０を障子１０を外すことなしに取り外しできるようにするには、一側レール部材４０と他側レール部材５０との間に中間レール部材を設け、この中間レール部材の長手方向一端部と一側レール部材４０の長手方向他端部４０ｃを接し、その中間レール部材の長手方向他端部と他側レール部材５０の長手方向一端部５０ａを接する。
そして、一側レール部材４０の長手方向他端部４０ｃを図３に示す位置とし、他側レール部材５０の長手方向一端部５０ａを図２に仮想線で示す位置とする。
【００２９】
このようにすれば、障子１０を開き位置とすれば一側レール部材４０を取り外しできる。
また、障子１０を閉じ位置とすれば他側レール部材５０を取り外しできる。
【００３０】
次に、他の実施の形態を説明する。
図６に示すように、スペーサ部材７０の凹部７１の幅（長手方向と直角方向の寸法）を広くし、他側レール部材５０の複数の下向片５３を凹部７１の底面に接して取付け、他側レール部材５０を簡単に取り外しできるようにする。
このようにすれば、スペーサ部材７０から他側レール部材５０を取り外して凹部７１内を簡単に清掃できる。
この場合には、排水用空間部６０に流れ込んだ湯水の一部が、他側レール部材５０とスペーサ部材７０の凹部７１の底面７１ａとの間に流れ込みするが、この凹部７１の底面７１ａは下枠本体３０の排水溝３１の底面３１ａ，３１ｂよりも高いので、その湯水は排水用空間部６０まで流れるから、残水しない。
【００３１】
図７に示すように、スペーサ部材７０の凹部７１の底面７１ａに、長手方向に連続した引水用の溝７２を幅方向（長手方向と直角方向）に間隔を置いて複数形成する。
このようにすれば、前述のように凹部７１と他側レール部材５０との間に流れ込んだ湯水が確実に排水用空間部６０まで流れる。
つまり、凹部７１の底面７１ａに溜まった湯水の表面張力が引水用の溝７２によって小さくなるので、その溝７２に沿って排水用空間部６０まで流れ易くなる。
【００３２】
図８と図９に示すように、他側レール部材５０（戸袋部のレール部材）を、排水溝３１の長手方向他側部（戸袋部の排水溝）を閉塞する形状とする。例えば、他側レール部材５０を前述したレール５２と立上り片５４を備えた横板５１と下の横板５５と浴室側の一側縦板５６と脱衣室側の他側縦板５７で中空部５８を有する中間断面長尺材とし、その下の横板５５の下面５５ａを下枠本体３０の排水溝３１の長手方向他側部（戸袋部の排水溝）の底面３１ｂに接して取付ける。
この実施の形態では、一側縦板５６にシール材５９を装着し、このシール材５９を下枠本体３０の一側立上り板３３に接し、立上り片５４を支持片３８（下向部３８ａ）に接して取付けてある。
【００３３】
前記他側レール部材５０の中空部５８の長手方向両端部にキャップ５８ａをそれぞれ設けて閉塞し、その中空部５８内に湯水が流れ込まないようにする。キャップ５８ａに限ることなく、他の部材で閉塞しても良い。
これによって、排水用空間部６０（浴室開口部の排水溝）に流れ込んだ湯水が他側レール部材５０と下枠本体３０の排水溝３１の長手方向他側部（戸袋部の排水溝）の底面３１ｂとの間に流れ込むことがないので、下枠３に湯水が残水することがない。
【００３４】
この実施の形態では、図９に示すように下枠本体３０の支持片３８の下向部３８ａは横板３２まで連続し、その下向部３８ａが凹陥部３１の脱衣室側縦面を形成している。
これに限ることはなく、下枠本体３０は前述と同一としても良い。
【００３５】
前述した各実施の形態では、戸枠１に１枚の障子１０を建て込んだ片引きタイプの浴室引戸としたが、戸袋１に複数枚の障子１０を建て込んだタイプの浴室引戸としても良い。
このタイプの浴室引戸の場合には、複数の障子１０を、障子移動方向と直角方向（浴室・脱衣室側方向）に間隔をおいて建て込み、その複数の障子１０を長手方向に位置をずらして戸先側の戸尻側を順次重ね合わせることで開口部を閉じ、複数の障子１０を戸袋部で長手方向に同一位置として重ね合わせることで開口部を開放する。
このようにすることで、戸袋部の長手方向寸法を開口部の長手方向寸法（開口幅）よりも小さくすることができる。
【００３６】
前述した各実施の形態において、下枠本体３０、一側レール部材４０、他側レール部材５０はアルミ押出形材で、スペーサ部材７０、キャップ５８ａは樹脂、ゴム等によって製作されている。
【図面の簡単な説明】
【００３７】
【図１】本発明の浴室引戸の実施の形態を示す正面図である。
【図２】本発明の浴室引戸の実施の形態を示す縦断面図である。
【図３】下枠の平面図である。
【図４】図３のＡ−Ａ拡大断面図である。
【図５】図３のＢ−Ｂ拡大断面図である。
【図６】下枠の第２の実施の形態を示す下枠の格納部分の断面図である。
【図７】下枠の第３の実施の形態を示す下枠の格納部分の断面図である。
【図８】下枠の第４の実施の形態を示す平面図である。
【図９】図８のＣ−Ｃ拡大断面図である。
【符号の説明】
【００３８】
１…戸枠、１ａ…出入用開口、１ｂ…格納用開口、３…下枠、３ａ…浴室開口部、３ｂ…戸袋部、１０…障子、２０…浴室、２１…出入口、３０…下枠本体、３１…排水溝、３１ａ…排水溝の長手方向一側部（浴室開口部の排水溝）の底面、３１ｂ…排水溝の長手方向他側部（戸袋部の排水溝）の底面、４０…一側レール部材（浴室開口部のレール部材）、４１…横板、４２…レール、４３…脚片、４４…排水用孔、４５…水抜き孔、５０…他側レール部材（戸袋部のレール部材）、５１…横板、５２…レール、５３…下向片、６０…排水用空間部、７０…スペーサ部材、７１…凹部、７２…引水用の溝。
【図１】
2008127747.tif 000003
【図２】
2008127747.tif 000004
【図３】
2008127747.tif 000005
【図４】
2008127747.tif 000006
【図５】
2008127747.tif 000007
【図６】
2008127747.tif 000008
【図７】
2008127747.tif 000009
【図８】
2008127747.tif 000010
【図９】
2008127747.tif 000011